(57)【特許請求の範囲】
【請求項１】
スピーカユニットと、このスピーカユニットが取り付けられたバッフルボード及びこれに連接する側部を有するキャビネットと、前記スピーカユニットを覆うように前記キャビネットに取り付けられたネットと、を備えたスピーカ装置において、
前記ネットは縁部が前記バッフルボードに嵌合しており、
前記バッフルボードは前記ネットの縁部に対応する位置に前記キャビネットの内部と外部とを連通する開口部を有することを特徴とするスピーカ装置。
【請求項２】
前記キャビネットは、前記側部の前記開口部に対応する内壁面において、その前記バッフルボード側を外側方向に凹ませて成る水溜まり部を有することを特徴とする請求項１記載のスピーカ装置。
【請求項３】
スピーカユニットと、このスピーカユニットが取り付けられたバッフルボード及びこれに連接する側部を有するキャビネットと、前記スピーカユニットを覆うように前記キャビネットに取り付けられたネットと、を備えたスピーカ装置において、
前記バッフルボードは、前記ネットの縁部に対応する位置に前記キャビネットの内部と外部とを連通する開口部を有し、
前記キャビネットは、前記側部の前記開口部に対応する内壁面において、その前記バッフルボード側を外側方向に凹ませて成る水溜まり部を有することを特徴とするスピーカ装置。
【発明の詳細な説明】
【技術分野】
【０００１】
本発明は、スピーカ装置に係り、特に、屋外での使用に好適なスピーカ装置に関する。
【背景技術】
【０００２】
防災用や野外施設での拡声用等で屋外において使用されるスピーカ装置は、所謂防滴、防雨等の防水構造を有する必要がある。
このようなスピーカ装置は、スピーカユニットとそれが取り付けられたキャビネットとを有して構成されるものであり、その防水構造の一例としては、キャビネット内部への水の浸入を防ぐため、キャビネットの組み合わせ部分にシリコン材やゴム材をシール部材として挟み込むようにした構造がある。
この構造は、高度な防水性能が得られる反面、部品点数や組み立て工数が増加し、また、所定の防水性能が得られているかの検査も必要となるので、コストアップを招くものであった。
【０００３】
一方、他の防水構造の例として、キャビネット内部への水の浸入をある程度許容する構造としたスピーカ装置も知られている。
このスピーカ装置においては、特にシール部材を用いないので部品点数や組み立て工数が増加することはなく、防水性能の検査も不要となり、コスト的には好ましい構造であるが、キャビネット内部の電気部品に水が接触しないようにするための部品配置やキャビネット形状の工夫、さらには、内部に浸入した水を効果的に外部に排出するための排出構造が必要となる。
この排出構造としてはキャビネットの底面に水抜き孔を設けるのが一般的であり、この水抜き孔を有するスピーカ装置の一例として、特許文献１に記載されたドアホンがある。
【特許文献１】実公平７−１７１８２号公報
【発明の開示】
【発明が解決しようとする課題】
【０００４】
上述したように、特許文献１に記載されたような従来のスピーカ装置では、内部に浸入した水がその自重で排出されるように、水抜き孔はキャビネットの底面に開口するように形成されていた。
通常、屋外でスピーカ装置を設置する場合は、その付近の人に対して上方に設置される場合がほとんどであり、その場合、キャビネットの底面は可視範囲となり、その底面に開口する水抜き孔はスピーカ装置の外観品位を低下させるものであった。
また、水抜き孔の開口部が外部に直接開放していることにより、虫がこの孔から内部に進入して巣を作り、それにより孔が塞がって排水性能が低下するという不具合も生じる可能性があった。
また、キャビネット内部の側壁等に付着した水の飛沫が徐々に集まって底面に到達し、時間が経過してからも排出が継続して不具合が生じる場合があった。
すなわち、雨が止んである程度時間が経過した後においても、この集まった水の滴が少しずつ水抜き孔から垂れ落ち、スピーカ装置の下を歩行する人にかかって服などを濡らしてしまうという不具合が生じる場合があった。
【０００５】
そこで、本発明が解決しようとする課題は、キャビネット内部に浸入した水を排出する水抜き孔を備えていても、外観性能が低下することがなく、虫の進入により排水性能が低下することがないスピーカ装置を提供することにある。
また、雨が止んだ後に水滴が垂れ落ちることがないスピーカ装置を提供することにある。
【課題を解決するための手段】
【０００６】
上記の課題を解決するために、本願発明は手段として次の〔１〕〜〔３〕の構成を有する。
〔１〕スピーカユニットと、このスピーカユニットが取り付けられたバッフルボード及びこれに連接する側部を有するキャビネットと、前記スピーカユニットを覆うように前記キャビネットに取り付けられたネットと、を備えたスピーカ装置において、
前記ネットは縁部が前記バッフルボードに嵌合しており、
前記バッフルボードは前記ネットの縁部に対応する位置に前記キャビネットの内部と外部とを連通する開口部を有することを特徴とするスピーカ装置である。
〔２〕前記キャビネットは、前記側部の前記開口部に対応する内壁面において、その前記バッフルボード側を外側方向に凹ませて成る水溜まり部を有することを特徴とする〔１〕記載のスピーカ装置である。
〔３〕スピーカユニットと、このスピーカユニットが取り付けられたバッフルボード及びこれに連接する側部を有するキャビネットと、前記スピーカユニットを覆うように前記キャビネットに取り付けられたネットと、を備えたスピーカ装置において、
前記バッフルボードは、前記ネットの縁部に対応する位置に前記キャビネットの内部と外部とを連通する開口部を有し、
前記キャビネットは、前記側部の前記開口部に対応する内壁面において、その前記バッフルボード側を外側方向に凹ませて成る水溜まり部を有することを特徴とするスピーカ装置である。
【発明の効果】
【０００７】
本発明によれば、キャビネット内部に浸入した水を排出する水抜き孔を備えていても、外観性能が低下することがなく、虫の進入により排水性能が低下することがないという効果を奏する。
また、降雨終了後に水滴が垂れ落ちることがないという効果を奏する。
【発明を実施するための最良の形態】
【０００８】
本発明の実施の形態を、好ましい実施例により図１〜図８を用いて説明する。
図１は、本発明のスピーカ装置の実施例を示す正面図である。
図２は、本発明のスピーカ装置の実施例を示す上面図である。
図３は、本発明のスピーカ装置の実施例を示す右側面図である。
図４は、本発明のスピーカ装置の実施例を示す後面図である。
図５は、本発明のスピーカ装置の実施例における組み立て図である。
図６は、本発明のスピーカ装置の実施例の断面図である。
図７は、本発明のスピーカ装置の実施例における要部の拡大断面図である。
図８は、本発明のスピーカ装置の実施例における要部の正面図である。
【０００９】
まず図１〜図４を用いて実施例のスピーカ装置５０の外観について説明する。図１はその正面図であり、図２はその上面図であり、図３はその右側面図であり、図４はその後面図である。
【００１０】
このスピーカ装置５０は、バッフルボード１、及び、側部と底部を有する一面側が開放された略箱状のバックキャビネット２を、組み合わせ部Ｐにおいて組み合わせてなるキャビネット３を備え、密閉構造とされたものである。
バッフルボード１には、ウーファスピーカユニット（以下、単にウーファとも称する）４とホーンタイプのツイータスピーカユニット（以下、単にツイータとも称する）５が取り付けられている。
また、バッフルボード１の前面側、すなわち、ウーファ４やツイータ５の音の放射方向側には、ウーファ４，ツイータ５等を保護するネット６がねじ７ａにより固定されている。
【００１１】
このネット６は、所謂パンチングメタル（例として、径２φ，ピッチ２．５，６０°千鳥配置の開口孔を有する）により形成され、バッフルボード１の前面において、その周囲に突出して設けられた枠部１ａの内側に、はめ込まれるように固定されている。
【００１２】
バックキャビネット２の左右の側部２ａには、ブラケット８を取り付けることが可能となっている。
具体的には、このブラケット８は、基部８ａとその両端部を同方向に屈曲して形成された一対の腕部８ｂとを有し、その腕部８ｂの先端側において、バックキャビネット２の側部２ａにおいて軸Ｃの回りに回動可能に取り付けられる。
また、ブラケット８の回動は、図示しない固定機構により任意の角度で固定可能とされている。すなわち、キャビネット３に対して図３に実線で示すＡ位置から一点鎖線で示すＢ位置まで、矢印で示す約９０度の範囲の任意の位置に固定可能とされる。
【００１３】
ブラケット８の基部８ａには、複数の取り付け孔８ａ１が設けられており、この孔を利用しねじ等によってこのスピーカ装置５０を例えば壁面や天井等の所望の取り付け場所に固定することができる。
従って、設置に際しブラケット８の角度を所望の角度に設定すれば、天井や壁面から所望の方向に向けて音を放出することができるように構成されている。
【００１４】
また、実施例のスピーカ装置５０は、これを天井に取り付けた場合、その長手方向が水平方向となり（横置き）、壁面に取り付けた場合は、長手方向が垂直方向（縦置き）となるものである。
【００１５】
一方、バックキャビネット２の後面２ｂからは、ウーファ４やツイータ５に外部から信号を供給する信号線９が引き出されている。
【００１６】
次に、このスピーカ装置５０の主たる内部構成について、組み立て図である図５と図１のＳ−Ｓ断面図である図６とを用いて説明する。これらの図において、ブラケット８や、その固定機構や回動機構は省略してある。
【００１７】
バッフルボード１には、ウーファ４を取り付けるウーファ取り付け孔１ｂとツイータ５のホーン部１ｃとが形成されている。
バッフルボード１の周囲には、バッフル面１ｅに対して突出する枠部１ａが設けられている。
【００１８】
一方、ウーファ４は、その前面側にフランジ４ａを有している。
そして、このウーファ４は、ウーファ取り付け孔１ｂに挿入されると共に、そのフランジ４ａの後面側をウーファ取り付け孔１ｂの周囲においてバッフル面１ａに対して凹に形成されたウーファ取り付け凹部１ｅ１に当接させるようにして、４本のねじ７ｂによりバッフルボード１に固定される。
ホーン部１ｃの後部側にはツイータドライバー部５ａ等が取り付けられてツイータ５が構成される。
【００１９】
バックキャビネット２の内部には、各スピーカユニットを駆動するための基板１０ａやトランス１０ｂ等の回路部１０が取り付けられ、各スピーカユニット４，５との間に所定の配線が施されている。
バックキャビネット２の後面部２ｂには、端子部１１が取り付けられ、信号線９と回路部１０とが電気的に接続されている。
【００２０】
バッフルボード１の前面に取り付けられるネット６は、主面部６ａと、４隅を除く各辺において主面部６ａに対して概ね９０°で同方向に屈曲形成された立ち上げ部６ｂとを備えている。主面部６ａは、外観デザインに応じて任意の形状に形成される。実施例においては、緩やかな曲面を有する形状とされている。
このネット６は、上述した内側の各スピーカ４，５の保護と、それに加え、内部を見えにくくすることによる外観品位向上と、所望の形状や色にすることにより想起されるデザイン上の美観向上と、を主な目的として設けられる。
また、このネット６は、バッフルボード１の枠部１ａの内側に取り付けられる際に、立ち上げ部６ｂの各外側面とバッフルボード１の枠部１ａの内壁面１ａ１とが若干の嵌め合いしろを有して隙間のない嵌合となるように寸法が設定されている。
【００２１】
このようなネット６は、バッフルボード１の枠部１ａの内側に嵌め込まれ、４本のねじ７ａにより固定される。その際、立ち上げ部６ｂの外側面と枠部１ａの内壁面１ａ１との間に、振動によるびびり音をより効果的に防止する不織布等のスペーサ１２を挟みこんでもよい。
バッフルボード１とバックキャビネット２との組み合わせ部Ｐにおいては、図６に示すように、一方側（実施例ではバックキャビネット２側）の端面形状においてその中央部を凸形状とし、他方側の端面形状を、この凸形状が嵌合する凹部を中央部に設けた形状としてある。
これにより、キャビネット３全体として高い剛性が得られ、組み合わせ部Ｐにおける密閉性がより高まる。
【００２２】
一方、ネット６の主面部６ａとバッフルボード１のバッフル面１ｅその内側には飛沫防止フィルタ１３を介在させている。
この飛沫防止フィルタ１３は海綿状の材料で形成されている。これにより、外部からバッフルボード１の内部が見えないようにして外観品位を向上させる効果を得ると共に、内部側の各スピーカ４，５からの音は透過して外部に放出し、外部から勢いのある水滴がかかった場合にはその勢いを低下させてその内部への浸入を防止することができるものである。
【００２３】
次に、バッフルボード１に設けた水抜き孔１ｇについて図８も用いて詳述する。
この水抜き孔は、キャビネット３の内部に溜まった水を外部に排出するための開口部であり、キャビネット３の内部と外部とを連通するものであれば丸孔に限るものではなく、また、スリット状であってもよく、開口形状は限定されない。
この実施例では、一例として丸孔の水抜き孔について説明する。
【００２４】
バッフルボード１は、バッフル面１ｅと枠部１ａとの間にバッフル面１ｅより凹となる溝部１ｆが形成されている。
この実施例においては、溝部１ｆの底面１ｆ１とウーファ取り付け凹部１ｅ１の面とがバッフル面１ｅに対して同じ深さの面となるように設定されている。図８においては、ネット６で覆われている範囲の内、この溝部１ｆを除いた範囲をハッチングで示している。
【００２５】
この溝部１ｆの底面１ｆ１にはネット６の立ち上げ部６ｂの先端が当接する。従って、この底面１ｆ１により、ネット６の取り付けの際の深さ方向（バッフル面１ｅに直交する方向）の位置が規制される。
また、底面１ｆ１には、枠部１ａの内壁面１ａ１に沿って複数の水抜き孔１ｇが形成されている。具体的には、この孔は、直径が２．５φであり、短辺に４箇所、長辺に４箇所、隅の一箇所は共通につき合計で７箇所設けられている。
この水抜き孔１ｇは、設置状態でスピーカ装置５０の下側（地面側）となり得る辺に対応して設ければよく、この実施例のスピーカ装置５０は、上述したように縦置き及び横置きに設置可能であることから、一対の短辺と長辺に対応して設けられている。
【００２６】
このような構成において、そのスピーカ装置５０の水抜き孔１ｇは、図７に示すように、溝部１ｆの底面１ｆ１における、キャビネット３の前面側のネット６の縁部６ｃに対応する位置に開口するよう設けられている。
従って、開口部は、ネット６や飛沫防止フィルタ１３に覆われた位置にあるので外部から容易に視認され得るものではなく、このスピーカ装置５０の外観品位が低下することがない。
また、特にこの実施例は、水抜き孔１ｇを、溝部１ｆの底面１ｆ１におけるネット６の周囲の立ち上げ部６ｂの端部６ｂ１に対向する位置の近傍に配置してあるので、ネット６の網掛けの違いによる目隠し度合いに拘わらず、常に外部から視認され難いものである。
【００２７】
さらに、直接外部に孔が開放されていないので、この孔から虫が内部に進入することは極めて困難であり、その巣等により孔が塞がれ排水性能が低下することがない。
【００２８】
また、水抜き孔１ｇがキャビネットの外面に直接開口していないので、降雨時等においてこの水抜き孔１ｇから内部への水の浸入は容易ではなく、内部が水滴で頻繁に濡れることがないのでスピーカ装置自体の信頼性が向上する。
【００２９】
加えて、実施例においては、図７に示すように、水抜き孔１ｇは側部２ａの内壁面２ｃから距離ｄだけ内側に離れた位置に開口している。
また、内壁面２ｃのバッフルボード側には以下のような水溜まり部１４を設けてある。
すなわち、突出した枠部１ａの内側が空隙１４ａとされ、さらに、バックキャビネット２の内壁面２ｃには、その組み合わせ部Ｐ近傍を外方向に拡張する段部２ｄが設けられている。
従って、この空隙１４ａと、段部２ｄにより外側に拡張されて得られた空間１４ｂとにより、水溜まり部１４が形成されている。図６においては、この水溜まり部１４に網掛けを付して示している。
【００３０】
また、内壁面２ｃは、バックキャビネット２の奥から組み合わせ部Ｐに向けて外側に広がる方向の傾斜を有して形成されている。
また、水抜き孔１ｇは、この水溜まり部１４より上方にて外部に開口するように形成されている。
さらに、内部の回路部１０，端子部１１や各スピーカユニット４，５は、少なくとも、この水抜き孔１ｇよりも内側、換言するならば、設置状態において上方に位置するよう配置されている。
また、ウーファ４が内壁を移動する水滴の移動経路となることを防止するため、ウーファ取り付け孔１ｂの周囲には内部方向に立設する環状のリブ１ｂ１が形成されている。
【００３１】
次に、このスピーカ装置５０における外部からの水の浸入と、浸入した水の外部への排出とについて詳述する。
繰り返しとなるが、このスピーカ装置５０は外部から雨等の水が容易には浸入しないように配慮されている。
すなわち、その配慮とは、前面からの浸入に対する飛沫防止フィルタ１３の配設であり、側部２ａからの浸入に対して設けられた組み合わせ部Ｐにおける凹凸の段違い合わせ構造の採用である。
【００３２】
ただし、台風下での雨等のように高い風圧と共に水が浴びせられた場合には、水滴は、飛沫防止フィルタ１３を通過して内側に到達し、ウーファ４の取り付け面等部品の合わせ部分から僅かであるが内部に浸入する場合がある。
また、組み合わせ部Ｐにおいては、圧力が加わらない場合には水の浸入を充分に防止することができるが、高い風圧を伴った雨等の場合には、その僅かな隙間からしみ入るように内部に浸入する場合がある。
【００３３】
このような経路で浸入した水滴は、キャビネット３の各内壁を伝って集まりながら自重により底面に移動する。底面に到達した水滴は、底面の内壁面２ｃが上述したように傾斜していることから水溜まり部１４に誘導されてそこに溜まる。
そして、水溜まり部１４の貯水量を上回って水が溜まると、すなわち、水面が水抜き孔１ｇにかかると、水はその孔１ｇから飛沫防止フィルタ１３及びネット６を通過して外部に排出される。
【００３４】
この貯水量は、スピーカ装置５０が水平に配置された場合（図６の状態）が最も多く、傾斜して配置された場合には、それよりも少ない量で水面が水抜き孔１ｇにかかって外部に排出されるので貯水量としては減少する。
水溜まり部１４に水が溜まった際、その水圧程度では組み合わせ部Ｐから外部に水が漏れ出すことはない。
【００３５】
従って、いずれの場合においても、水抜き孔１ｇは内壁面２ｃから距離ｄだけ内側に離れた位置に開口させたことにより、更には、水溜まり１４を設けたことにより、例えば降雨終了後、時間が経過してから水抜き孔１ｇから水が垂れることはなく、下にいる人が濡れてしまうという不具合が生じることはない。
そして、水溜まり部１４等の内側面側に溜まった水は外部に垂れることなく、やがて蒸発によって消失する。
【００３６】
本発明の実施例は、上述した構成及び手順に限定されるものではなく、本発明の要旨を逸脱しない範囲において変形例としてもよいのは言うまでもない。
【００３７】
組み合わせ部Ｐの位置は、この実施例の位置に限定されない。具体的には、水溜まりを避けた位置（キャビネットの後方側）に設けてもよい。その場合、バックキャビネット２が樹脂成形により形成すると段部２ｃはアンダーカットになるので、段部２ｃをなくした水溜まりとするのが好ましい。
水溜まり部は、キャビネットの内側面とその面から水抜き孔までの深さとで決定される空間であり、特に容量や形状を限定するものではない。
【００３８】
実施例のスピーカ装置として略箱状のものを説明したが、バッフルボードの形状が円形の円筒状や半球状であってもよく、また、他の形状でもよい。
飛沫防止フィルタは、必ずしも備える必要はない。その場合、バッフルボード１の内部が可視状態になり、また、前面からの水滴の浸入可能性が高くなるものの、キャビネット内部に浸入した水の外部への排出効果については同様に発揮されることは言うまでもない。
また、パンチングネットはパンチングメタルに限るものではなく、完全ではなくても、ある程度の目隠し効果が得られると共に音を通過させるものであればよい。
また、実施例のキャビネットはスピーカとして密閉型のものを説明したが、いわゆるバスレフ型としてバッフルボードにその内側と外側を連通するダクトが設けられたものでもよい。
この場合、密閉型に対してダクトからの水の浸入があり得るものの、上述した水の排出効果は同様に発揮されるので屋外でも良好に使用することが可能で、高い信頼性が得られることは言うまでもない。
【図面の簡単な説明】
【００３９】
【図１】本発明のスピーカ装置の実施例を示す正面図である。
【図２】本発明のスピーカ装置の実施例を示す上面図である。
【図３】本発明のスピーカ装置の実施例を示す右側面図である。
【図４】本発明のスピーカ装置の実施例を示す後面図である。
【図５】本発明のスピーカ装置の実施例における組み立て図である。
【図６】本発明のスピーカ装置の実施例の断面図である。
【図７】本発明のスピーカ装置の実施例における要部の拡大断面図である。
【図８】本発明のスピーカ装置の実施例における要部の正面図である。
【符号の説明】
【００４０】
１  バッフルボード
１ａ  枠部
１ａ１  内壁面
１ｂ  ウーファ取り付け孔
１ｂ１  リブ
１ｃ  ホーン部
１ｅ  バッフル面
１ｆ  溝部
１ｆ１  底面
１ｇ  水抜き孔（開口部）
２  バックキャビネット
２ａ  側部
２ｂ  後面
２ｃ  内壁面
２ｄ  段部
３  キャビネット
４  （ウーファ）スピーカユニット
５  （ツイータ）スピーカユニット
６  ネット
６ａ  主面部
６ｂ  立ち上げ部
６ｂ１  端部
６ｃ  縁部
７ａ，７ｂ  ねじ
８  ブラケット
８ａ  基部
８ａ１  取り付け孔
８ｂ  腕部
９  信号線
１０  回路部
１０ａ  基板
１０ｂ  トランス
１１  端子部
１２  スペーサ（不織布）
１３  飛沫防止フィルタ
１４  水溜まり部
５０  スピーカ装置
Ｃ  回動軸
Ｐ  組み合わせ部
【図１】
0004560792.tif 000002
【図２】
0004560792.tif 000003
【図３】
0004560792.tif 000004
【図４】
0004560792.tif 000005
【図５】
0004560792.tif 000006
【図６】
0004560792.tif 000007
【図７】
0004560792.tif 000008
【図８】
0004560792.tif 000009